(57)【要約】【課題】パスロス値に基づく移動局の移動制御を実行する場合において、フェムトセルなどの小セルが自由に設置されても、移動局のスムーズなセル間の移動を実現する。【解決手段】無線制御装置１００は、周辺セルを形成する基地局から送信される共通制御チャネルの送信電力値である周辺セル送信電力値を取得する送信電力取得部１１１と、所定セルを形成する基地局から送信される共通制御チャネルの送信電力値である所定送信電力値と、周辺セル送信電力値との差分に基づいて、所定送信電力値に付加される周辺セルの電力オフセットを決定するオフセット決定部１１５と、決定された電力オフセットを移動局に向けて報知するオフセット報知部１１７とを備える。【選択図】図６
2011259043.tif 000002
【特許請求の範囲】
【請求項１】
所定セルを形成する基地局から送信される無線信号の送信電力値である所定送信電力値と、前記無線信号の移動局における受信電力値とに基づくパスロス値に基づいて、前記所定セルから前記所定セルの周辺セルへの前記移動局の移動を制御する移動通信システムであって、
前記周辺セルを形成する基地局から送信される無線信号の送信電力値である周辺セル送信電力値を検出する送信電力検出部と、
前記所定送信電力値と、前記送信電力検出部によって検出された前記周辺セル送信電力値との差分に基づいて、前記所定送信電力値に付加される前記周辺セルの電力オフセットを決定するオフセット決定部と、
前記オフセット決定部によって決定された前記電力オフセットを前記移動局に向けて報知するオフセット報知部と
を備える移動通信システム。
【請求項２】
前記送信電力検出部は、前記周辺セルが送信する共通制御チャネルの送信電力値を含む報知情報を受信し、受信した前記報知情報に基づいて前記周辺セル送信電力値を検出する請求項１に記載の移動通信システム。
【請求項３】
前記オフセット決定部は、前記所定送信電力値と前記周辺セル送信電力値との差分を前記電力オフセットとして決定する請求項１に記載の移動通信システム。
【請求項４】
所定セルを形成する基地局から送信される無線信号の送信電力値である所定送信電力値と、前記無線信号の移動局における受信電力値とに基づくパスロス値に基づいて、前記所定セルから前記所定セルの周辺セルへの前記移動局の移動を制御する無線制御装置であって、
前記周辺セルを形成する基地局から送信される無線信号の送信電力値である周辺セル送信電力値を取得する送信電力取得部と、
前記所定送信電力値と、前記送信電力取得部によって取得された前記周辺セル送信電力値との差分に基づいて、前記所定送信電力値に付加される前記周辺セルの電力オフセットを決定するオフセット決定部と、
前記オフセット決定部によって決定された前記電力オフセットを前記移動局に向けて報知するオフセット報知部と
を備える無線制御装置。
【請求項５】
前記オフセット決定部は、前記所定送信電力値と前記周辺セル送信電力値との差分を前記電力オフセットとして決定する請求項４に記載の無線制御装置。
【請求項６】
所定セルを形成する基地局から送信される無線信号の送信電力値である所定送信電力値と、前記無線信号の移動局における受信電力値とに基づくパスロス値に基づいて、前記所定セルから前記所定セルの周辺セルへの前記移動局の移動を制御する基地局であって、
前記周辺セルを形成する基地局から送信される無線信号の送信電力値である周辺セル送信電力値を検出する送信電力検出部と、
前記所定送信電力値と、前記送信電力検出部によって検出された前記周辺セル送信電力値との差分に基づいて、前記所定送信電力値に付加される前記周辺セルの電力オフセットを決定するオフセット決定部と、
前記オフセット決定部によって決定された前記電力オフセットを前記移動局に向けて報知するオフセット報知部と
を備える基地局。
【請求項７】
前記オフセット決定部は、前記所定送信電力値と前記周辺セル送信電力値との差分を前記電力オフセットとして決定する請求項６に記載の基地局。
【請求項８】
所定セルを形成する基地局から送信される無線信号の送信電力値である所定送信電力値と、前記無線信号の移動局における受信電力値とに基づくパスロス値に基づいて、前記所定セルから前記所定セルの周辺セルへの前記移動局の移動を制御する移動制御方法であって、
前記周辺セルを形成する基地局から送信される無線信号の送信電力値である周辺セル送信電力値を検出するステップと、
前記所定送信電力値と、検出された前記周辺セル送信電力値との差分に基づいて、前記所定送信電力値に付加される前記周辺セルの電力オフセットを決定するステップと、
決定された前記電力オフセットを前記移動局に向けて報知するステップと
を備える移動制御方法。
【請求項９】
前記電力オフセットを決定するステップでは、前記所定送信電力値と前記周辺セル送信電力値との差分を前記電力オフセットとして決定する請求項８に記載の移動制御方法。
【発明の詳細な説明】
【技術分野】
【０００１】
本発明は、所定セルから、当該所定セルの周辺セルへの移動局の移動を制御する移動通信システム、無線制御装置、基地局及び移動制御方法に関する。
【背景技術】
【０００２】
携帯電話システムなどの移動体通信システムでは、大きさが異なる複数のセルによって構成されるのが一般的である。例えば、公衆通信向けの一般的な基地局によって形成されるセル（以下、便宜上「大セル」という）と、特定のスポットをカバーするセル（以下、便宜上「小セル」という）とが混在することが一般的である。
【０００３】
このような移動体通信システムでは、移動局が在圏すべきセルを制御する移動制御が必須である。移動制御の方法として、各セルにおけるパスロス値の差分を利用する方法が広く用いられている。具体的には、各セルは、共通制御チャネル（W-CDMAシステムでは、Common Pilot Channel（CPICH））の送信電力値を移動局に報知する。移動局は、各セルから報知された送信電力値と、当該セルの共通制御チャネルの受信電力値とに基づいてパスロス値を演算する。移動局は、各セルのパスロス値の差分が所定範囲内に近づくと、隣接する当該セルへのハンドオーバーを要求する（例えば、非特許文献１）。
【０００４】
ところが、上述したように、移動体通信システムでは、大きさが異なる複数のセルが混在することが一般的である。このため、各セルにおける共通制御チャネルの送信電力値も異なり、上述したようなパスロス値に基づいた移動制御を実行しても、適切な移動制御ができない場合がある。
【０００５】
一般的に、小セルにおける共通制御チャネルの送信電力値は、大セルの当該送信電力値よりも低いため、単にパスロス値の差分が所定範囲内に近づくと移動局がハンドオーバーを要求するような移動制御を実行すると、小セルのエリアから外れた位置においてハンドオーバーが要求される恐れがあり、移動局のスムーズなセル間の移動が妨げられる。
【０００６】
そこで、このような問題を回避するため、各セルは、隣接する周辺セルに対して自セルの電力オフセット（W-CDMAシステムでは、Cell Individual Offset（CIO））を通知する方法も規定されている（非特許文献１参照）。移動局は、当該電力オフセットが付加された送信電力値を用いてパスロス値を演算する。
【先行技術文献】
【非特許文献】
【０００７】
【非特許文献１】3GPP TS 25.331: Radio Resource Control（RRC）；Protocol Specification
【発明の概要】
【発明が解決しようとする課題】
【０００８】
近年では、上述したような移動通信システムにおいて、移動局のユーザが自由に設置し得る小型基地局が形成するセル（フェムトセル）が多く用いられるようになっている。このような場合、移動通信システムのオペレータが、各フェムトセルに対して上述したような電力オフセットを設定することは、現実的には不可能である。このため、移動局のスムーズなセル間の移動が妨げられる問題がある。
【０００９】
そこで、本発明は、このような状況に鑑みてなされたものであり、パスロス値に基づく移動局の移動制御を実行する場合において、フェムトセルなどの小セルが自由に設置されても、移動局のスムーズなセル間の移動を実現できる移動通信システム、無線制御装置、基地局及び移動制御方法の提供を目的とする。
【課題を解決するための手段】
【００１０】
本発明の特徴に係る移動通信システムは、所定セル（例えば、セル２０１Ｃ）を形成する基地局（基地局２０１）から送信される無線信号（例えば、共通制御チャネル）の送信電力値である所定送信電力値（送信電力値ｃ）と、前記無線信号の移動局（移動局３００）における受信電力値（受信電力値）とに基づくパスロス値（パスロス＃Ｇ）に基づいて、前記所定セルから前記所定セルの周辺セル（例えば、セル２０２Ｃ）への前記移動局の移動を制御する移動通信システムであって、前記周辺セルを形成する基地局から送信される無線信号の送信電力値である周辺セル送信電力値（例えば、送信電力値ｂ）を検出する送信電力検出部（送信電力検出部２１１）と、前記所定送信電力値と、前記送信電力検出部によって検出された前記周辺セル送信電力値との差分に基づいて、前記所定送信電力値に付加される前記周辺セルの電力オフセット（電力オフセットα）を決定するオフセット決定部（オフセット決定部１１５）と、前記オフセット決定部によって決定された前記電力オフセットを前記移動局に向けて報知するオフセット報知部（オフセット報知部１１７）とを備えることを要旨とする。
【００１１】
上述した本発明の特徴において、前記送信電力検出部は、前記周辺セルが送信する共通制御チャネルの送信電力値を含む報知情報を受信し、受信した前記報知情報に基づいて前記周辺セル送信電力値を検出してもよい。
【００１２】
上述した本発明の特徴において、前記オフセット決定部は、前記所定送信電力値と前記周辺セル送信電力値との差分を前記電力オフセットとして決定してもよい。
【発明の効果】
【００１３】
本発明の特徴によれば、パスロス値に基づく移動局の移動制御を実行する場合において、フェムトセルなどの小セルが自由に設置されても、移動局のスムーズなセル間の移動を実現できる移動通信システム、無線制御装置、基地局及び移動制御方法を提供することができる。
【図面の簡単な説明】
【００１４】
【図１】本発明の実施形態に係る移動通信システムの全体概略構成図である。
【図２】共通制御チャネルの送信電力値が同一であるセル２０２Ｃとセル２０３Ｃとにおける移動局３００のハンドオーバー制御例を示す図である。
【図３】共通制御チャネルの送信電力値が異なるセル２０２Ｃとセル２０２Ｃとにおける移動局３００のハンドオーバー制御例を示す図である。
【図４】セル２０１Ｃのサービスエリアを外れた位置でのハンドオーバーの要求を回避した移動局３００のハンドオーバー制御例を示す図である。
【図５】本発明の実施形態に係る基地局２０１の機能ブロック構成図である。
【図６】本発明の実施形態に係る無線制御装置１００の機能ブロック構成図である。
【図７】本発明の実施形態に係る移動通信システムにおける電力オフセットαの決定シーケンスを示す図である。
【図８】オフセット決定部１１５によって決定される送信電力オフセットテーブル５００の一例を示す図である。
【図９】本発明の変更例に係る基地局２５０の機能ブロック構成図である。
【発明を実施するための形態】
【００１５】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１６】
したがって、具体的な寸法などは以下の説明を参酌して判断すべきものである。また、図面相互間においても互いの寸法の関係や比率が異なる部分が含まれていることは勿論である。
【００１７】
（１）移動通信システムの全体概略構成
図１は、本実施形態に係る移動通信システムの全体概略構成図である。具体的には、図１は、移動通信システムにおける代表的な無線アクセスネットワークの構成例を示す。
【００１８】
図１に示す移動通信システムは、W-CDMA方式に準拠しており、基地局２００〜２０３は、無線制御装置１００と通信可能に接続されている。無線制御装置１００は、基地局２００〜２０３に対し、当該基地局が移動局３００と無線通信を実行するために必要な無線パラメータの割り当てや、その管理などを実行する。
【００１９】
特に、本実施形態に係る移動通信システムは、パスロス値に基づいて、基地局が形成する所定セルから、当該所定セルに隣接する周辺セルへの移動局３００の移動を制御する。なお、パスロス値とは、所定セルを形成する基地局から送信される無線信号、具体的には、共通制御チャネルの送信電力値である所定送信電力値と、当該無線信号の移動局３００における受信電力値とに基づくものである。
【００２０】
より具体的には、共通制御チャネルとして共通パイロットチャネル（Common Pilot Channel（CPICH））が用いられ、CPICHの送信電力値と、CPICHの移動局３００における受信電力値との差分によってパスロス値が求められる。
【００２１】
基地局２００及び基地局２０１は、移動通信事業者が提供する通信サービスのユーザが管理する小型基地局（Home eNodeB）である。基地局２００及び基地局２０１は、当該ユーザが管理するLocal Area Network（LAN）に共に設置され、FTTHやADSLを提供するアクセス回線事業者ネットワーク２０を介して、移動通信事業者ネットワーク１０上に設けられた無線制御装置１００と接続される。
【００２２】
移動通信事業者ネットワーク１０とアクセス回線事業者ネットワーク２０との境界には、Security Gateway（SGW）４００が設置される。ＳＧＷ４００は、他の通信ネットワークからの不正なアクセスに対して、移動通信事業者ネットワーク１０を保護するためにゲートウェイである。ＳＧＷ４００は、所定の認証手順によって正規と認められた移動通信事業者ネットワーク１０へのアクセスのみを許可する。
【００２３】
本実施形態では、基地局２００及び基地局２０１（ホーム基地局）は、各々異なるユーザが所有しているものとする。このため、一方の基地局を管理するユーザの移動局は、他方の基地局に対する接続許可が与えられていない。一方、基地局２０２及び基地局２０３は、公衆通信向けの基地局であり、移動通信事業者ネットワーク１０上に設置されている。移動通信事業者のユーザの移動局であれば、特に制限なく基地局２０２及び基地局２０３に接続することができる。
【００２４】
（２）パスロス値を用いた移動制御
次に、図２〜図４を参照して、パスロス値を基準した移動局３００のハンドオーバー制御の概念について説明する。
【００２５】
（２．１）制御例１
図２は、共通制御チャネルの送信電力値が同一であるセル２０２Ｃとセル２０３Ｃとにおける移動局３００のハンドオーバー制御例を示す。なお、セル２０２Ｃは基地局２０２によって形成され、セル２０３Ｃは基地局２０３によって形成されたものとする。
【００２６】
図２に示すように、移動局３００は、通信中のセル２０２Ｃの送信電力値ａと、受信電力値とに基づいて、からパスロス＃Ａを演算する。同様に、移動局３００は、送信電力値ｂと、その受信電力値とに基づいて、移動先となり得るセル２０３Ｃのパスロス＃Ｂを演算する（ステップＳ１０００）。なお、送信電力値ａは、基地局２０２が送信する共通制御チャネルにおいて報知されているものとする。
【００２７】
次いで、移動局３００がセル２０３Ｃに向けて移動する（図中の矢印参照）と、移動局３００が演算するセル２０２Ｃのパスロスは、パスロス＃Ｃまで大きくなる。一方、セル２０３Ｃのパスロスはパスロス＃Ｄまで小さくなる（ステップＳ１００１）。
【００２８】
ここで、パスロス＃Ｃに対して、パスロス＃Ｄの値が所定範囲内となった場合、移動局３００は、ネットワーク（無線制御装置１００）に対してセル２０３Ｃへのハンドオーバーを要求する信号を送出する（ステップＳ１００２）。
【００２９】
（２．２）制御例２
図３は、共通制御チャネルの送信電力値が異なるセル２０１Ｃとセル２０２Ｃとにおける移動局３００のハンドオーバー制御例を示す。なお、セル２０１Ｃは基地局２０１によって形成されたものとする。ここでは、セル２０１Ｃは、共通制御チャネルの送信電力値がセル２０２Ｃよりも小さいものとする。
【００３０】
図３に示すように、移動局３００は、図２と同様に、セル２０１Ｃのパスロス＃Ｅと、セル２０２Ｃのパスロス＃Ｆを比較する（ステップＳ２０００）。ここで、セル２０１Ｃの送信電力値ｃが送信電力値ｂよりも小さいため、両セルのパスロス差（Ｅ−Ｆ）が所定範囲内となることを条件として、当該セル間のハンドオーバーを要求する移動局３００の位置がセル２０１Ｃのサービスエリアを外れた位置となり、スムーズな移動局３００のハンドオーバー、つまり、移動制御ができなくなる（ステップＳ２００１）。
【００３１】
本実施形態では、以下に示す制御例３のように、パスロス値に基づいて移動局３００のハンドオーバーを実行させる場合において、ハンドオーバーを要求する移動局３００の位置がセル２０１Ｃのサービスエリアを外れた位置となることを回避し得る。
【００３２】
（２．３）制御例３
図４（ａ）及び（ｂ）は、セル２０１Ｃのサービスエリアを外れた位置でのハンドオーバーの要求を回避した移動局３００のハンドオーバー制御例を示す。
【００３３】
図４（ａ）及び（ｂ）に示すように、セル２０１Ｃでは、セル２０２Ｃの電力オフセットαが共通制御チャネルを用いて報知される（ステップＳ３０００）。
【００３４】
移動局３００は、送信電力値ｃに基づいてセル２０１Ｃのパスロス＃Ｇを演算するともに、セル２０２Ｃのパスロス＃Ｈを演算する際に、セル２０２Ｃの送信電力値ｂに対し、受信した電力オフセットαを付加してパスロス＃Ｈを演算する（ステップＳ３００１）。例えば、送信電力値ｂが４０ｄＢｍである場合、移動局３００は、電力オフセットαとして−３０ｄＢｍを付加する。つまり、送信電力値ｂは、１０ｄＢｍに補正される。なお、電力オフセットαの決定方法については、後述する。
【００３５】
このような電力オフセットαを用いた演算が移動局３００において実行されると、セル２０１Ｃのパスロス＃Ｇの値よりも、セル２０２Ｃのパスロス＃Ｈの値を擬似的に小さくなる。つまり、所定の受信電力値以上で共通制御チャネルを受信可能なセル２０２Ｃのエリアが広がったことと等価な状態となる。このため、移動局３００は、セル２０１Ｃのサービスエリア内に十分に入った位置において、セル２０２Ｃにハンドオーバーすることができる（ステップＳ３００２）。
【００３６】
（３）移動通信システムの機能ブロック構成
次に、上述した移動通信システムの機能ブロック構成について説明する。具体的には、基地局２０１及び無線制御装置１００の機能ブロック構成について説明する。
【００３７】
（３．１）基地局２０１
図５は、基地局２０１の機能ブロック構成図である。図５に示すように、基地局２０１は、送信電力検出部２１１及び送信電力通知部２１３を備える。なお、他の基地局（基地局２００，２０２，２０３）も同様の機能ブロック構成を有する。
【００３８】
送信電力検出部２１１は、基地局２０１が形成するセル２０１Ｃの周辺セル（例えば、セル２０２Ｃ）を形成する基地局から送信される無線信号の送信電力値である周辺セル送信電力値（例えば、送信電力値ｂ）を検出する。
【００３９】
具体的には、送信電力検出部２１１は、周辺セルが送信する共通制御チャネルの送信電力値を含む報知情報を受信し、受信した報知情報に基づいて前記周辺セル送信電力値を検出する。本実施形態では、送信電力検出部２１１は、周辺セルが送信するCPICHの送信電力値を取得する。CPICHの送信電力値は、周辺セルが送信するCPICH上で報知される。
【００４０】
送信電力通知部２１３は、送信電力検出部２１１が検出した周辺セルの送信電力値を無線制御装置１００に通知する。
【００４１】
（３．２）無線制御装置１００
図６は、無線制御装置１００の機能ブロック構成図である。図６に示すように、無線制御装置１００は、送信電力取得部１１１、送信電力差分演算部１１３、オフセット決定部１１５及びオフセット報知部１１７を備える。
【００４２】
送信電力取得部１１１は、各基地局から通知された当該基地局が形成するセルの周辺セルにおける共通制御チャネルの送信電力値を取得する。
【００４３】
送信電力差分演算部１１３は、送信電力取得部１１１によって取得された送信電力値（周辺セル送信電力値）に基づいて、基地局（セル）毎に、共通制御チャネルの送信電力の差分を演算する。例えば、基地局２０１から、基地局２００，２０２，２０３が形成するセル（周辺セル）における共通制御チャネルの送信電力値が通知された場合、送信電力差分演算部１１３は、各セルにおける共通制御チャネルの送信電力値と、自セル（基地局２０１が形成するセル２０１Ｃ）における共通制御チャネルの送信電力値との差分をそれぞれ演算する。
【００４４】
オフセット決定部１１５は、移動局３００がパスロス値を演算する際に用いられる電力オフセットαを決定する。例えば、オフセット決定部１１５は、セル２０１Ｃ（所定セル）を形成する基地局２０１の共通制御チャネルの送信電力値（所定送信電力値）と、セル２０１Ｃの周辺セルにおける共通制御チャネルの送信電力値（周辺セル送信電力値）との差分に基づいて、所定送信電力値に付加される周辺セルの電力オフセットαを決定する。
【００４５】
具体的には、オフセット決定部１１５は、所定送信電力値と周辺セル送信電力値との差分を電力オフセットαとして決定する。図８は、オフセット決定部１１５によって決定される送信電力オフセットテーブル５００の一例を示す。
【００４６】
図８に示すように、オフセット決定部１１５は、基地局（セル）毎に電力オフセットαを演算する。例えば、オフセット決定部１１５は、基地局２００の送信電力値（所定送信電力値）である１０ｄＢｍと、基地局２０１の送信電力値（周辺セル送信電力値）である５ｄＢｍとの差分である５ｄｂｍを、基地局２０１（セル２０１Ｃ）の電力オフセットαとして決定する。
【００４７】
オフセット報知部１１７は、オフセット決定部１１５によって決定された電力オフセットαを移動局３００に向けて報知する。具体的には、オフセット報知部１１７は、各基地局に演算した当該基地局用の電力オフセットαを、当該基地局に報知する。
【００４８】
（４）移動通信システムの動作
次に、上述した移動通信システムの動作について説明する。具体的には、移動通信システムによる電力オフセットαの決定動作について説明する。図７は、本実施形態に係る移動通信システムにおける電力オフセットαの決定シーケンスを示す。なお、図７は、基地局２０１が形成するセル２０１Ｃの周辺セルを形成する基地局２００，２０２，２０３に適用される電力オフセットαを自動調整するシーケンスについて例示する。また、基地局２０１以外の基地局においても同様の動作を実行可能である。
【００４９】
図７に示すように、基地局２０１は、セル２０１Ｃの周辺セルを形成する基地局が送信する共通制御チャネル（CPICH）のスキャンを定期的に実行し、共通制御チャネルを介して送信される報知情報を受信する（ステップＳ１０１０及びＳ１０１１）。
【００５０】
基地局２０１は、受信した報知情報に含まれる周辺セルにおける共通制御チャネルの送信電力値を取得する（ステップＳ１０１２）。具体的には、基地局２０１は、基地局２００，２０２，２０３が送信する共通制御チャネルの送信電力値を取得する。
【００５１】
基地局２０１は、取得した、基地局２００，２０２，２０３の送信電力値を無線制御装置１００に通知する（ステップＳ１０１３）。
【００５２】
無線制御装置１００は、基地局２０１から通知された周辺セル（基地局２００，２０２，２０３）の送信電力値と、自セル（基地局２０１）の送信電力値との差分をそれぞれ演算する（ステップＳ１０１４）。例えば、基地局２０１の送信電力値が５ｄＢｍであり、基地局２００の送信電力値が１０ｄＢｍである場合（図８参照）、無線制御装置１００は、差分として−５ｄＢｍを算出する。無線制御装置１００は、このような演算を基地局２０２，２０３についても同様に実行する。
【００５３】
無線制御装置１００は、演算した基地局毎の差分を当該基地局用の電力オフセットαとして決定する（ステップＳ１０１５）。電力オフセットαは、上述したように、移動局３００においてパスロス値を演算する際に、当該基地局が送信する共通制御チャネルの送信電力値に付加、具体的には加算される。
【００５４】
無線制御装置１００は、決定した基地局毎の電力オフセットαを基地局２０１に通知する（ステップＳ１０１６）。電力オフセットαを受信した基地局２０１は、共通制御チャネルを用いて基地局毎の電力オフセットαを移動局３００に向けて報知する。
【００５５】
（５）作用・効果
本実施形態に係る移動通信システムによれば、自セルが送信する共通制御チャネルの送信電力値（所定送信電力値）と、周辺セルが送信する共通制御チャネルの送信電力値（周辺セル送信電力値）との差分に基づいて、所定送信電力値に付加される周辺セルの電力オフセットαが決定される。このため、移動局３００は、電力オフセットαが付加された送信電力値に基づいてパスロス値を演算する。
【００５６】
つまり、電力オフセットαを用いたパスロス値の演算が移動局３００において実行されると、特定のセルにおけるパスロス値を擬似的に小さくできる。つまり、所定の受信電力値以上で共通制御チャネルを受信可能なセルのエリアが広がったことと等価な状態となる。このため、移動局３００は、ハンドオーバー先のセルの送信電力値が小さい場合でも、当該セルのサービスエリア内に十分に入った位置において、当該セルにハンドオーバーすることができる。すなわち、パスロス値に基づく移動局３００の移動制御を実行する場合において、フェムトセルなどの小セルが自由に設置されても、移動局３００のスムーズなセル間の移動を実現できる。
【００５７】
本実施形態では、共通制御チャネルを介して送信される報知情報が当該セルの送信電力値を含み、各基地局が受信した当該報知情報に基づいて周辺セル送信電力値が検出される。このため、各基地局は、周辺セルの送信電力値を効率的に取得できる。
【００５８】
本実施形態では、所定送信電力値と周辺セル送信電力値との差分が電力オフセットαとして決定される。このため、簡易な演算で十分な効果（移動局３００のスムーズ意な移動制御）を発揮し得る。
【００５９】
（６）その他の実施形態
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６０】
例えば、上述した本発明の実施形態では、共通制御チャネルを介して送信される報知情報が当該セルの送信電力値を含む形態としたが、各基地局は、周辺セルを形成する基地局に、当該基地局が送信する共通制御チャネルの送信電力値を問い合わせるようにしてもよい。
【００６１】
また、上述した本発明の実施形態では、W-CDMA方式に準拠した移動通信システムを例として説明したが、W-CDMAの次世代システムであるLTE（Long Term Evolution）システムの場合、基地局が無線制御装置１００の機能を具備してもよい。図９は、本変更例に係る基地局２５０の機能ブロック構成図である。送信電力取得部２５１、送信電力差分演算部２５３、オフセット決定部２５５及びオフセット報知部２５７は、それぞれ無線制御装置１００の送信電力取得部１１１、送信電力差分演算部１１３、オフセット決定部１１５及びオフセット報知部１１７と同様の機能を提供する。
【００６２】
上述した本発明の実施形態では、自セルに隣接するセルを周辺セルとして説明したが、周辺セルは必ずしも隣接するセルに限られず、同一エリアにオーバーラップして形成されるセルなども含んでも構わない。
【００６３】
上述した本発明の実施形態では、所定送信電力値と周辺セル送信電力値との差分が電力オフセットαとして決定されていたが、当該差分を直接電力オフセットαとせず、予め規定された電力オフセットに差分を加算することによって、正規電力オフセットαを決定するようにしてもよい。
【００６４】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００６５】
１０…移動通信事業者ネットワーク
２０…アクセス回線事業者ネットワーク
１００…無線制御装置
１１１…送信電力取得部
１１３…送信電力差分演算部
１１５…オフセット決定部
１１７…オフセット報知部
２００〜２０３…基地局
２０１Ｃ〜２０３Ｃ…セル
２１１…送信電力検出部
２１３…送信電力通知部
２５０…基地局
２５１…送信電力取得部
２５３…送信電力差分演算部
２５５…オフセット決定部
２５７…オフセット報知部
３００…移動局
４００…ＳＧＷ
５００…送信電力オフセットテーブル
【図１】
2011259043.tif 000003
【図２】
2011259043.tif 000004
【図３】
2011259043.tif 000005
【図４】
2011259043.tif 000006
【図５】
2011259043.tif 000007
【図６】
2011259043.tif 000008
【図７】
2011259043.tif 000009
【図８】
2011259043.tif 000010
【図９】
2011259043.tif 000011